【事件の表示】
　特許第２９６３２８５号「ジェル状化粧料」の請求項１に係る特許に対する特許異議の申立てについて、次のとおり決定する。
【結　論】
　訂正を認める。
　特許第２９６３２８５号の請求項１に係る特許を維持する。
【理　由】
１．手続の経緯
　本件特許第２９６３２８５号発明は、平成４年１０月５日の出願であって、平成１１年８月６日にその特許権の設定登録がなされ、その後、中島　理（以下、「申立人Ａ」という。）及び矢部ゆり子（以下、「申立人Ｂ」という。）より特許異議の申し立てがなされ、当審により取り消し理由通知がなされ、その指定期間内である平成１２年１０月１６日に訂正請求がなされたものである。
　
２．訂正の適否についての判断
　ア．訂正の内容
  特許権者が求めている訂正の内容は、以下のとおりである。
訂正事項ａ
　特許請求の範囲における請求項１中の「・・・、１．０〜１０重量％の平均粒径が１．０〜５０μｍの粉末と、・・・」を、「・・・、１．０〜１０重量％の平均粒径が１．０〜５０μｍのナイロン末、ポリエチレン末、タルクおよびポリスチレン末から選択される１種または２種以上の粉末と、・・・」と訂正する。
訂正事項ｂ
　明細書中、
「【０００９】
　本発明に用いる粉末としては、その形状は略真球あるいは不定形等のいずれであってもよく、例えば、ナイロン末、ポリエチレン末、無水ケイ酸末、タルク、ポリスチレン末等の有機粉末あるいは無機粉末または合成あるいは天然物のいずれも用いることができる。粉末の平均粒径は使用感の観点から１〜５０μｍであり、好ましくは５〜２０μｍである。１μｍに満たない平均粒径では十分なべたつきを抑える効果が得られない。また、平均粒径が５０μｍを越えるものはざらつき感があり、使用感を損なう。これらは単独でも、２種以上を組み合わせてもよい。」とあるを、
「【０００９】
　本発明に用いる粉末としては、その形状は略真球あるいは不定形等のいずれであってもよく、ナイロン末、ポリエチレン末、タルク、ポリスチレン末を用いることができる。粉末の平均粒径は使用感の観点から１〜５０μｍであり、好ましくは５〜２０μｍである。１μｍに満たない平均粒径では十分なべたつきを抑える効果が得られない。また、平均粒径が５０μｍを越えるものはざらつき感があり、使用感を損なう。これらは単独でも、２種以上を組み合わせてもよい。」と訂正する。
　イ．訂正の適否、新規事項の有無及び拡張・変更の存否
　上記の訂正事項ａは、請求項１における「・・・、１．０〜１０重量％の平均粒径が１．０〜５０μｍの粉末と、・・・」という記載を「・・・、１．０〜１０重量％の平均粒径が１．０〜５０μｍのナイロン末、ポリエチレン末、タルクおよびポリスチレン末から選択される１種または２種以上の粉末と、・・・」と訂正するものであるから、特許請求の範囲の減縮を目的とするものであり、訂正事項ｂは訂正事項ａの訂正に伴い、明細書の詳細な説明の記載を整合させるものであるから、、明りょうでない記載の釈明を目的とするものである。
　そして、上記の訂正事項は、特許明細書に記載された事項の範囲内のものであって、かつ、実質上特許請求の範囲を拡張し又は変更するものではない。
　ウ．むすび
　以上のとおりであるから、上記訂正請求は、特許法第１２０条の４第２項及び同条第３項で準用する第１２６条第２項及び第３項の規定に適合するので、当該訂正を認める。
　
３．特許異議の申立てについて
　ア．本件発明
　特許第２９６３２８５号の請求項１に係る発明は、訂正明細書の請求項１に記載された次のとおりのものである。
「【請求項１】ジェル状化粧料全重量に対して、０．１〜２０重量％の多価アルコールと、０．１〜５．０重量％のＨＬＢ１２以上のノニオン界面活性剤と、１．０〜１０重量％の平均粒径が１．０〜５０μｍのナイロン末、ポリエチレン末、タルクおよびポリスチレン末から選択される１種または２種以上の粉末と、水溶性高分子物質とを配合したことを特徴とする実質的に油分を含有しない皮膚用ジェル状化粧料。」
　イ．申立の理由の概要
　申立人Ａは、証拠として甲第１号証（特開平４−１０８７１４号公報）を提出し、訂正前の本件請求項１に係る発明は、甲第１号証に記載された発明に基づいて当業者が容易に発明をすることができたものであるから、特許法第２９条第２項の規定に違反してなされたのであり、特許を取り消すべき旨主張し、申立人Ｂは、証拠として甲第１号証（特開平４−１０８７１４号公報）、甲第２号証（特開昭６１−１２６０６号公報）、甲第３号証（特開昭６２−１６９７１２号公報）および甲第４号証（特開平３−２２３２０６号公報）を提出し、訂正前の本件請求項１に係る発明は、甲第１号証または甲第２号証に記載された発明に基づいて当業者が容易に発明をすることができたものであるから、特許法第２９条第２項の規定に違反してなされたのであり、特許を取り消すべき旨主張する。
　ウ．引用刊行物記載の発明
　当審が通知した取消しの理由に引用された刊行物１（特開平４−１０８７１４号公報）には、「（Ａ）カルボキシビニルポリマー、（Ｂ）塩基性物質、（Ｃ）疎水性無水ケイ酸、並びに（Ｄ）多価アルコール及び／又は界面活性剤を必須成分として含有することを特徴とする水性ゲル状化粧料」が記載（特許請求の範囲第１項）されている。
　また、同刊行物２には、「必須成分として、合成樹脂エマルジョンと、湿式法による無定形のケイ酸および／またはアルミニウム、マグネシウムおよびカルシウムから選ばれるものとケイ酸との無機塩である無定形のケイ酸塩類を１種或いは２種以上含有することを特徴とするアイメークアップ化粧料」が記載（特許請求の範囲第１項）されている。
　エ．判断
　訂正後の本件請求項１に係る発明（以下、「本件発明という。」）と、引用例１に記載された発明とを対比すると、両者は、ジェル状化粧料全重量に対して、０．１〜２０重量％の多価アルコールと、０．１〜５．０重量％のＨＬＢ１２以上のノニオン界面活性剤と、１．０〜１０重量％の粉末と、水溶性高分子物質とを配合したことを特徴とする実質的に油分を含有しない皮膚用ジェル状化粧料である点で一致するものの、前者が上記粉末として、平均粒径が１．０〜５０μｍのナイロン末、ポリエチレン末、タルクおよびポリスチレン末から選択される１種または２種以上の粉末であるのに対して、後者においては、疎水性無水ケイ酸を用いる点で相違する。
　そこでこの相違点について検討すると、引用例１は、上記粉末として、親水性無水ケイ酸と比較して、疎水性無水ケイ酸が有効であることを記載するに止まり、これら以外のものについては、まったく記載するところがなく、疎水性或いは親水性無水ケイ酸にかえて、平均粒径が１．０〜５０μｍのナイロン末、ポリエチレン末、タルクおよびポリスチレン末から選択される１種または２種以上の粉末を用いることは、当業者が容易に想到できないものである。
　引用例２は、アイメークアップ化粧料に関するものであり、上記粉末に対応する成分として記載されているのは、湿式法による無定形のケイ酸および／またはアルミニウム、マグネシウムおよびカルシウムから選ばれるものとケイ酸との無機塩である無定形のケイ酸塩類が、比較例としての乾式法シリカとともに記載されているのみでり、やはり、これらに代えて、平均粒径が１．０〜５０μｍのナイロン末、ポリエチレン末、タルクおよびポリスチレン末から選択される１種または２種以上の粉末を用いることは、当業者が容易に想到できないものである。
　そして、本件発明は、このような特定の粉末を採用することにより、保湿効果に優れ、べたつき及びすべり感ですぐれた使用感を有するジェル状化粧料を得ることができる、などの本件明細書記載の優れた効果を奏するものである。
　したがって、本件発明は、当業者が引用例１及び２に記載された発明に基づいて容易に発明をすることができたものとはいえない。
　なお、申立人Ｂが提出した甲第３及び４号証は、上記粉末を開示するものではなく、メークアップ化粧料として、ファンデーション、アイライナー、アイシャドー等が含まれることを記載するにすぎず、上記判断に影響を与えないものである。
　したがって、本件発明は、申立人Ａ及びＢが提出した刊行物に記載された発明に基づいて当業者が容易に発明し得たものではない。
　
４．むすび
　以上のとおりであるから、申立人Ａ及びＢの理由及び証拠によっては、本件発明についての特許を取り消すことができない。
  また、他に本件発明の特許を取り消すべき理由を発見しない。
  よって、結論のとおり決定する。
【異議決定日】
平成１４年５月１４日（２００２．５．１４）
【訂正の要旨】
　訂正の要旨
訂正事項ａ
　特許請求の範囲における請求項１中の「・・・、１．０〜１０重量％の平均粒径が１．０〜５０μｍの粉末と、・・・」を、「・・・、１．０〜１０重量％の平均粒径が１．０〜５０μｍのナイロン末、ポリエチレン末、タルクおよびポリスチレン末から選択される１種または２種以上の粉末と、・・・」と訂正する。
訂正事項ｂ
　明細書中、
「【０００９】
　本発明に用いる粉末としては、その形状は略真球あるいは不定形等のいずれであってもよく、例えば、ナイロン末、ポリエチレン末、無水ケイ酸末、タルク、ポリスチレン末等の有機粉末あるいは無機粉末または合成あるいは天然物のいずれも用いることができる。粉末の平均粒径は使用感の観点から１〜５０μｍであり、好ましくは５〜２０μｍである。１μｍに満たない平均粒径では十分なべたつきを抑える効果が得られない。また、平均粒径が５０μｍを越えるものはざらつき感があり、使用感を損なう。これらは単独でも、２種以上を組み合わせてもよい。」とあるを、
「【０００９】
　本発明に用いる粉末としては、その形状は略真球あるいは不定形等のいずれであってもよく、ナイロン末、ポリエチレン末、タルク、ポリスチレン末を用いることができる。粉末の平均粒径は使用感の観点から１〜５０μｍであり、好ましくは５〜２０μｍである。１μｍに満たない平均粒径では十分なべたつきを抑える効果が得られない。また、平均粒径が５０μｍを越えるものはざらつき感があり、使用感を損なう。これらは単独でも、２種以上を組み合わせてもよい。」と訂正する。
（５４）【発明の名称】
ジェル状化粧料
（５７）【特許請求の範囲】
　【請求項１】　ジェル状化粧料全重量に対して、０．１〜２０重量％の多価アルコールと、０．１〜５．０重量％のＨＬＢ１２以上のノニオン界面活性剤と、１．０〜１０重量％の平均粒径が１．０〜５０μｍの
ナイロン末、ポリエチレン末、タルクおよびポリスチレン末から選択される１種または２種以上の
【発明の詳細な説明】
　【０００１】
　【産業上の利用分野】
　本発明は皮膚用ジェル状化粧料、さらに詳しくは、保湿効果に優れ、しかもべたつかず、肌のすべり感の良い、使用感に優れたジェル状化粧料に関する。
　【０００２】
　【従来の技術および課題】
　肌を健康な状態に維持するためには、肌の潤いを保ち、乾燥を防ぐことが必要である。肌の潤いを保つことを目的とした化粧品として、種々の保湿成分、例えば、水溶性高分子物質、多価アルコール、ヒアルロン酸等の生体構成成分などを配合した化粧水やクリームなどが使用されている。一方、これらと異なり、ジェル状の化粧料は油分をあまり配合しないため、クリーム等に比べると使用感が軽く、また、ローション等に比べると垂れ流れることなく使用しやすいという利点がある。しかし、ジェルの保形性を保つのに配合する水溶性高分子物質等の影響でべたつきを生じるという欠点がある。しかも、保湿効果を高めようとした場合、保湿成分をある程度の量配合することが必要となり、高分子物質や多価アルコールを多く配合すると、さらにべたつき感が出ることとなる。このため、保湿効果の特に優れたジェル状化粧料は、使用感が非常に悪くなる問題がある。
　【０００３】
　【課題を解決するための手段】
　本発明者らは、このような問題点を解決すべく鋭意検討を行った結果、高分子物質と多価アルコールを配合したジェル状の化粧料であって、特定のＨＬＢ（親水性親油性バランス）を有するノニオン界面活性剤と特定の粒径の粉末を配合することにより、その高分子物質および多価アルコール配合による使用感の悪さが改善され、保湿効果に優れ、しかもべたつきがなく、肌のすべり感の良い使用感に優れたジェル状の化粧料が得られることを見いだし、本発明を完成するに至った。
　【０００４】
　すなわち、本発明は、ジェル状化粧料全重量に対して、０．１〜２０重量％の多価アルコールと、０．１〜５．０重量％のＨＬＢ１２以上のノニオン界面活性剤と、１．０〜１０重量％の平均粒径が１．０〜５０μｍの粉末と、水溶性高分子物質とを配合した、保湿効果に優れ、かつ良好な使用感を有する皮膚用ジェル状化粧料を提供するものである。
　【０００５】
　本発明で用いる多価アルコールとしては、１，３−ブチレングリコール、グリセリン、ジグリセリン、プロピレングリコール、ソルビタン、ポリエチレングリコール、マルチトール等が挙げられ、特に、グリセリン、プロピレングリコールを用いることが好ましい。所望により、２種以上のこれら多価アルコールを組み合わせて用いてもよい。
　【０００６】
　多価アルコールの配合量は、化粧料全重量に対して、０．１〜２０重量％であり、好ましくは０．５〜７．０重量％である。０．１重量％に満たない配合量では保湿効果が十分でなく、２０重量％を超えて配合するとべたつきがひどく、良好な使用感が得られない。
　【０００７】
　本発明で用いるＨＬＢ１２以上のノニオン界面活性剤としては、ポリオキシエチレンソフィトステロール（１０、２０および３０Ｅ．Ｏ．）、モノステアリン酸ポリオキシエチレングリセリル（１５Ｅ．Ｏ．）、モノステアリン酸ポリオキシエチレングリコール（２５、４０および４５Ｅ．Ｏ．）、ポリオキシエチレン硬化ヒマシ油（４０、５０、６０および８０Ｅ．Ｏ．）、モノラウリン酸ポリオキシエチレンソルビタン（２０Ｅ．Ｏ．）、ポリオキシエチレンセチルエーテル（３０Ｅ．Ｏ．）等が挙げられ、特に、ポリオキシエチレン硬化ヒマシ油（５０、６０Ｅ．Ｏ．）を用いることが好ましく、これらは単独でも、２種以上を組み合わせて用いてもよい。また、ＨＬＢが１２より低いノニオン界面活性剤、例えば、ポリオキシエチレン硬化ヒマシ油（１０Ｅ．Ｏ．）等では保湿効果が十分でない。
　【０００８】
　ノニオン界面活性剤の配合量は、化粧料全重量に対して、０．１〜５．０重量％であり、好ましくは０．３〜１．０重量％である。０．１重量％に満たない配合量では保湿効果が十分でなく、５．０重量％を越えるとべたつきがひどくなり使用感が悪くなる。
　【０００９】
　本発明に用いる粉末としては、その形状は略真球あるいは不定形等のいずれであってもよく、＿ナイロン末、ポリエチレン末、＿タルク、ポリスチレン末
を
　【００１０】
　該粉末の配合量は、１．０〜１０重量％であり、好ましくは２．０〜５．０重量％である。配合量が１．０重量％より少ないとべたつきを抑える効果が十分でなく、１０重量％を超えると保形性が悪くなる。
　【００１１】
　さらに、本発明で用いる水溶性高分子物質としては、分子量が１万〜１０００万、好ましくは、５万〜５０万の高分子物質が挙げられ、例えば、カルボキシビニルポリマー、キサンタンガム、カラギーナン、カルボキシメチルセルロース、ヒドロキシエチルセルロース、ポリアクリル酸ナトリウム、褐藻エキス末などが用いられる。特に、カルボキシルビニルポリマーを用いることが好ましい。所望により、２種以上の水溶性高分子物質を用いてもよい。
　【００１２】
　水溶性高分子物質の配合量は０．０１〜３重量％である。配合量が０．０１重量％より少ないと十分な保湿効果が得られず、３重量％を超えると粘度が高くなり過ぎ、ジェル状の化粧品としての性状を損なう。なお、水溶性高分子物質としてカルボキシビニルポリマーを配合するときは、適宜、水酸化カリウムやトリエタノールアミン等のアルカリ剤で中和することが必要となる。
　【００１３】
　さらに、本発明の化粧料には、そのジェル状化粧料としての性状、効果を損なわない範囲で、適宜、周知の成分、例えば、植物抽出液、その他の保湿成分、清涼剤、紫外線吸収剤、防腐剤、酸化防止剤、香料等を配合することができる。
　【００１４】
　本発明のジェル状化粧料は、常法に従って製造することができ、例えば、前記の成分を、順次、精製水中に混合し、撹拌して均一とし、ジェル状の形態として用いることができる。
　【００１５】
　【実施例】
　つぎに実施例を挙げて本発明をさらに具体的に説明するが、本発明は何らこれら実施例に限定されるものでない。なお、特に断らない限り、「％」は「重量％」を示す。
　【００１６】
実施例１〜７および比較例１〜７
　以下の表１および表２に記載の実施例１〜７および比較例１〜７において、カルボキシビニルポリマーを水に溶解し、グリセリン等の他の成分を、順次加えて水酸化カリウムで中和して各処方剤を得た。なお、水溶性高分子物質にカルボキシビニルポリマーを用いない場合、各成分を、順次混合して処方剤を調製した。
　このようにして得られた実施例および比較例での処方剤を以下に示す方法で、使用感および保湿効果を評価した。結果を表１および表２に示す。
　【００１７】
　評価方法
　使用感：専門パネラー（２０代女性）１０名による官能評価。
　試験サンプルを前腕内側部に塗布し、乾燥後のべたつきとすべり感を、各々、（なし、少しべたつく、べたつく）と（良好、少しすべりが悪い、悪い）の３段階で評価した。
　【００１８】
　判定基準
　　　　＜べたつき＞　Ａ：　なしと答えた人が６名以上の場合
　　　　　　　　　　　Ｂ：　ＡまたはＣに該当しない場合
　　　　　　　　　　　Ｃ：　べたつくと答えた人が６名以上の場合
　　　　＜すべり感＞　Ａ：　良好と答えた人が６名以上の場合
　　　　　　　　　　　Ｂ：　ＡまたはＣに該当しない場合
　　　　　　　　　　　Ｃ：　悪いと答えた人が６名以上の場合
　【００１９】
　保湿効果：手の甲に試験サンプルを０．２５ｇ／ｃｍ２塗布し、２時間後にインピーダンスメーターで被験部抵抗値（Ω）を測定することによって保湿効果を評価した。
　　　　　保湿効果（μΩ）＝Ｘ１−Ｘ２
　　　　　　　　　Ｘ１：２時間後の被験部抵抗値
　　　　　　　　　Ｘ２：試験サンプル塗布前の被験部抵抗値
　　　　　　　Ｘ１−Ｘ２が大きいほど保湿効果が高いことを示す。
　【００２０】
　判定基準
　　　　　　　Ａ：保湿効果２００μΩ以上
　　　　　　　Ｂ：保湿効果３０μΩ以上２００μΩ未満
　　　　　　　Ｃ：保湿効果３０μΩ未満
　【００２１】
　総合評価：上記評価の判定で、Ａを１点、Ｂを２点、Ｃを３点として３つの評点を合計する。
　　　　　　　○：評点が３点の場合
　　　　　　　△：評点が４〜６点の場合
　　　　　　　×：評点が７〜９点の場合
　【００２２】
　【表１】
　【００２３】
　【表２】
　【００２４】
実施例８
　ボディ用ジェル状組成物
　　　　　　　成分　　　　　　　　　　　　　　　　　配合量（％）
　カルボキシビニルポリマー　　　　　　　　　　　　　０．５
　ポリオキシエチレン硬化ヒマシ油（６０Ｅ．Ｏ．）　　１．０
　グリセリン　　　　　　　　　　　　　　　　　　　　１．０
　ナイロン末（平均粒径８μｍ）　　　　　　　　　　　３．０
　トリエタノールアミン　　　　　　　　　　　　　　　０．５
　エタノール　　　　　　　　　　　　　　　　　　　　２．０
　オキシベンゾン　　　　　　　　　　　　　　　　　　０．１
　パラオキシ安息香酸メチル　　　　　　　　　　　　　０．１
　香料　　　　　　　　　　　　　　　　　　　　　　　０．１
　水　　　　　　　　　　　　　　　　　　　　　　　　残部
　　　　　合　　計　　　　　　　　　　　　　　　１００．０
　実施例１と同様の製法で、保湿効果に優れ、かつ、肌にべたつかず、良好なすべり感をもつ優れた使用感のボディ用ジェル状組成物を得た。
　【００２５】
実施例９
　ハンド用ジェル組成物
　　　　　　成分　　　　　　　　　　　　　　　　　配合量（％）
　カルボキシビニルポリマー　　　　　　　　　　　　　１．０
　ポリオキシエチレン硬化ヒマシ油（６０Ｅ．Ｏ．）　　０．５
　プロピレングリコール　　　　　　　　　　　　　　　７．０
　タルク（平均粒径１０μｍ）　　　　　　　　　　　　７．０
　水酸化カリウム　　　　　　　　　　　　　　　　　　０．５
　オキシベンゾン　　　　　　　　　　　　　　　　　　０．１
　アロエ抽出エキス　　　　　　　　　　　　　　　　　０．５
　パラオキシ安息香酸メチル　　　　　　　　　　　　　０．１
　香料　　　　　　　　　　　　　　　　　　　　　　　０．１
　水　　　　　　　　　　　　　　　　　　　　　　　　残部
　　　　　合　　計　　　　　　　　　　　　　　　１００．０
　実施例１と同様の製法で、保湿効果に優れ、かつ、肌にべたつかず、良好なすべり感をもつ優れた使用感のハンド用ジェル状組成物を得た。
　【００２６】
　【発明の効果】
　本発明によれば、多価アルコールや高分子物質を配合したジェル状化粧料において、保湿効果に優れ、べたつきおよびすべり感で優れた使用感を有するジェル状化粧料を得ることができる。